(57)【要約】【課題】Ｘ線検出器及び検出器制御装置を運搬するためのシステムを提供する。【解決手段】本システムは、ポータブル・ディジタルＸ線検出器、及び該ディジタルＸ線検出器と通信するように構成されたポータブル検出器制御装置を含む。本システムはまた、前記ポータブル・ディジタルＸ線検出器を前記ポータブル・ディジタルＸ線検出器制御装置に結合させて、前記ディジタルＸ線検出器及び前記検出器制御装置の同時運搬を可能にするように構成された結合機構を含む。前記結合機構は、前記ポータブル・ディジタルＸ線検出器及びポータブル検出器制御装置を含むイメージング・システムのいずれの構成部品とも通信しない。【選択図】図１
2014076354.tif 000002
【特許請求の範囲】
【請求項１】
ポータブル・ディジタルＸ線検出器と、
前記ディジタルＸ線検出器と通信するように構成されたポータブル検出器制御装置と、  前記ポータブル・ディジタルＸ線検出器を前記ポータブル・ディジタルＸ線検出器制御装置に結合させて、前記ディジタルＸ線検出器及び前記検出器制御装置の同時運搬を可能にするように構成された結合機構であって、前記ポータブル・ディジタルＸ線検出器及びポータブル検出器制御装置を含むイメージング・システムのいずれの構成部品とも通信しない結合機構と、
を有するシステム。
【請求項２】
前記結合機構は、前記ポータブル・ディジタルＸ線検出器及び前記ポータブル検出器制御装置の両方の内部に配置された磁石を有している、請求項１記載のシステム。
【請求項３】
前記ポータブル・ディジタルＸ線検出器に結合された取外し可能な把手を有している請求項２記載のシステム。
【請求項４】
前記結合機構は、前記ポータブル・ディジタルＸ線検出器及び前記ポータブル検出器制御装置の両方の外部に配置されたマジック・テープを有している、請求項１記載のシステム。
【請求項５】
前記ポータブル・ディジタルＸ線検出器に結合された取外し可能な把手を有している請求項４記載のシステム。
【請求項６】
前記結合機構は、前記ディジタルＸ線検出器の外部表面上に配置されたポーチ又はスロットを有している、請求項１記載のシステム。
【請求項７】
前記ポーチ又はスロットは、該ポーチ又はスロットの中に前記ポータブル検出器制御装置の少なくとも一部分を受容するように構成されている、請求項６記載のシステム。
【請求項８】
前記結合機構は、前記ポータブル検出器制御装置の外部表面上に配置されたタブを有しており、この場合、前記ポーチ又はスロットは、該ポーチ又はスロットの中に前記タブの一部分を受容して、前記ポータブル検出器制御装置と前記ディジタルＸ線検出器とを一緒に結合するように構成されている、請求項６記載のシステム。
【請求項９】
前記結合機構は、前記ポータブル検出器制御装置の外部表面上に配置されたクラスプを有し、該クラスプは、前記ポータブル・ディジタルＸ線検出器の縁部に跨がるように延在して、前記ポータブル・ディジタルＸ線検出器を前記ポータブル検出器制御装置に固定するように構成され、或いは、前記結合機構は、前記ポータブル・ディジタルＸ線検出器の外部表面上に配置されたクラスプを有し、該クラスプは、前記ポータブル検出器制御装置の縁部に跨がるように延在して、前記ポータブル検出器制御装置を前記ポータブル・ディジタルＸ線検出器に固定するように構成されている、請求項１記載のシステム。
【請求項１０】
ポータブル・ディジタルＸ線検出器と、
前記ディジタルＸ線検出器と通信するように構成されたポータブル検出器制御装置と、
前記ポータブル・ディジタルＸ線検出器及び前記ポータブル検出器制御装置の両方を保持して、前記ディジタルＸ線検出器及び前記検出器制御装置の同時運搬を可能にするように構成された運搬装置であって、前記ポータブル・ディジタルＸ線検出器及びポータブル検出器制御装置を含むイメージング・システムのいずれの構成部品とも通信しない運搬装置と、
を有するシステム。
【請求項１１】
前記運搬装置は、前記ポータブル・ディジタルＸ線検出器を受容する第１組のスナップ機能部であって、該第１組のスナップ機能部の中へ前記ポータブル・ディジタルＸ線検出器を押し込んだときに、前記ポータブル・ディジタルＸ線検出器を前記運搬装置に固定するように構成されている第１組のスナップ機能部を有し、また前記運搬装置は、前記ポータブル検出器制御装置を受容する第２組のスナップ機能部であって、該第２組のスナップ機能部の中へ前記ポータブル検出器制御装置を押し込んだときに、前記ポータブル検出器制御装置を前記運搬装置に固定するように構成されている第２組のスナップ機能部を有している、請求項１０記載のシステム。
【請求項１２】
前記第１組及び第２組のスナップ機能部は前記運搬装置の反対向きの側面上に配置されている、請求項１１記載のシステム。
【請求項１３】
前記運搬装置は把手を有している、請求項１１記載のシステム。
【請求項１４】
前記運搬装置はフォリオ式キャディを有している、請求項１０記載のシステム。
【請求項１５】
前記フォリオ式キャディは、把手と、前記ポータブル・ディジタルＸ線検出器を受容するように構成された第１のポケットと、前記ポータブル・ディジタルＸ線検出器を前記第１のポケット内に固定するように構成された第１のカバーと、前記ポータブル検出器制御装置を受容するように構成された第２のポケットと、前記ポータブル検出器制御装置を前記第２のポケット内に固定するように構成された第２のカバーとを有している、請求項１４記載のシステム。
【請求項１６】
前記運搬装置はカートを有している、請求項１０記載のシステム。
【請求項１７】
前記カートは、前記ポータブル・ディジタルＸ線検出器を受容するための第１の保持器と、前記ポータブル検出器制御装置を受容するための第２の保持器とを有している、請求項１６記載のシステム。
【請求項１８】
前記カートは把手を有している、請求項１６記載のシステム。
【請求項１９】
前記カートは、該カートの移動を可能にする車輪を有している、請求項１６記載のシステム。
【請求項２０】
前記カートは折り畳めるように構成されている、請求項１６記載のシステム。
【請求項２１】
前記カートは、前記ポータブル・ディジタルＸ線検出器を充電するか又は前記ポータブル・ディジタルＸ線検出器用の１つ以上の蓄電池を充電するように構成された充電器を有している、請求項１６記載のシステム。
【請求項２２】
ポータブル・ディジタルＸ線検出器及びポータブル検出器制御装置の両方を固定して、前記ディジタルＸ線検出器及び前記検出器制御装置の同時運搬を可能にするように構成された装置を有しているシステムであって、
前記装置が、前記ポータブル・ディジタルＸ線検出器及びポータブル検出器制御装置を含むイメージング・システムのいずれの構成部品とも通信しない、システム。
【請求項２３】
前記装置は、前記ポータブル・ディジタルＸ線検出器を前記ポータブル検出器制御装置に結合するように構成された結合機構を有している、請求項２２記載のシステム。
【請求項２４】
前記システムはポータブル・ディジタルＸ線検出器及びポータブル検出器制御装置を有しており、前記結合機構は、前記ポータブル・ディジタルＸ線検出器及び前記ポータブル検出器制御装置の両方の内部に配置された磁石を有している、請求項２３記載のシステム。
【請求項２５】
前記システムはポータブル・ディジタルＸ線検出器及びポータブル検出器制御装置を有しており、前記結合機構は、
前記ポータブル検出器制御装置の外部表面上に配置されたタブを有しており、この場合、ポーチ又はスロットが、該ポーチ又はスロットの中に前記タブの一部分を受容して、前記ポータブル検出器制御装置と前記ディジタルＸ線検出器とを一緒に結合するように構成されている、請求項２３記載のシステム。
【請求項２６】
前記装置は、前記ポータブル・ディジタルＸ線検出器を受容する第１組のスナップ機能部であって、該第１組のスナップ機能部の中へ前記ポータブル・ディジタルＸ線検出器を押し込んだときに、前記ポータブル・ディジタルＸ線検出器を前記装置に固定するように構成されている第１組のスナップ機能部を有し、また前記装置は、前記ポータブル検出器制御装置を受容する第２組のスナップ機能部であって、該第２組のスナップ機能部の中へ前記ポータブル検出器制御装置を押し込んだときに、前記ポータブル検出器制御装置を前記運搬装置に固定するように構成されている第２組のスナップ機能部を有している、請求項２２記載のシステム。
【発明の詳細な説明】
【技術分野】
【０００１】
本発明は、Ｘ線イメージング・システムに関するものであり、より詳しく云えば、Ｘ線イメージング・システムの構成部品を運搬するためのシステムに関するものである。
【背景技術】
【０００２】
ディジタルＸ線検出器の出現は、医用イメージングに対してワークフローを向上させ且つ高い画像品質をもたらした。しかしながら、以前の放射線イメージング・システムの多くは、Ｘ線検出媒体としてフィルムを使用する通常のＸ線イメージング法を用いている。これらのシステムから画像を得るためには、各照射後にイメージング媒体を運搬し且つ処理しなければならず、その結果、所望の画像を得るのに時間遅延が生じる。ディジタル放射線撮影法は、素速く観察して診断を行うためにその場で画像データ及び再構成画像の取得を可能にし、また画像を直ぐに保存し且つ診察医及び委託医及び専門医へ送ることを可能にする代替法を提供する。しかしながら、以前の通常の放射線イメージング・システムをディジタル放射線イメージング・システムと置換するコストは、病院又は三次医療センタにとって重荷になることがある。従って、出来る限りシステムの構成部品を少なくすることを含めて費用効果の良い態様で以前の放射線イメージング・システムにディジタル放射線撮影法を遡及的に組み込む必要性がある。しかしながら、以前の放射線イメージング・システムに遡及的に組み込む別個の構成部品（例えば、ディジタルＸ線検出器）を相異なる放射線イメージング・システムの間で運搬することは、扱い難いことがあり、またワークフロー及び／又は時間効率よい利用を妨げることがある。
【先行技術文献】
【特許文献】
【０００３】
【特許文献１】米国特許出願第１３／５９７０９０号
【発明の概要】
【０００４】
一実施形態によれば、システムが提供される。本システムは、ポータブル・ディジタルＸ線検出器、及び該ディジタルＸ線検出器と通信するように構成されたポータブル検出器制御装置を含む。本システムはまた、前記ポータブル・ディジタルＸ線検出器を前記ポータブル・ディジタルＸ線検出器制御装置に結合させて、前記ディジタルＸ線検出器及び前記検出器制御装置の同時運搬を可能にするように構成された結合機構を含む。前記結合機構は、前記ポータブル・ディジタルＸ線検出器及びポータブル検出器制御装置を含むイメージング・システムのいずれの構成部品とも通信しない。
【０００５】
第２の実施形態によれば、システムが提供される。本システムは、ポータブル・ディジタルＸ線検出器、及び該ディジタルＸ線検出器と通信するように構成されたポータブル検出器制御装置を含む。本システムはまた、前記ポータブル・ディジタルＸ線検出器及び前記ポータブル検出器制御装置の両方を保持するように構成された運搬装置を含む。前記運搬装置は、前記ポータブル・ディジタルＸ線検出器及びポータブル検出器制御装置を含むイメージング・システムのいずれの構成部品とも通信しない。
【０００６】
第３の実施形態によれば、システムが提供される。本システムは、ポータブル・ディジタルＸ線検出器及びポータブル検出器制御装置の両方を固定するように構成された装置を含む。該装置は、前記ポータブル・ディジタルＸ線検出器及びポータブル検出器制御装置を含むイメージング・システムのいずれの構成部品とも通信しない。
【０００７】
本発明のこれらの及び他の特徴、側面及び利点は、添付の図面を参照した以下の詳しい説明を読めばより良く理解されよう。図面において、全図を通じて同様な参照符号は同様な部品を表す。
【図面の簡単な説明】
【０００８】
【図１】図１は、本発明の様々な面に従って装備されたＸ線システムの概略図である。
【図２】図２は、検出器と検出器制御装置とを一緒に結合するための結合機構（例えば、磁石又はマジック・テープ(登録商標））を持つポータブル検出器及びポータブル検出器制御装置の斜視図である。
【図３】図３は、一緒に結合された図２のポータブル検出器及びポータブル検出器制御装置の側面図である。
【図４】図４は、検出器と検出器制御装置とを一緒に結合するための結合機構（例えば、ポーチ／スロット及びタブ）を持つポータブル検出器及びポータブル検出器制御装置の斜視図である。
【図５】図５は、一緒に結合された図４のポータブル検出器及びポータブル検出器制御装置の側面図である。
【図６】図６は、検出器と検出器制御装置とを一緒に結合するための結合機構（例えば、ポーチ又はスロット）を持つポータブル検出器及びポータブル検出器制御装置の斜視図である。
【図７】図７は、一緒に結合された図６のポータブル検出器及びポータブル検出器制御装置の側面図である。
【図８】図８は、検出器と検出器制御装置とを一緒に結合するための結合機構（例えば、クラスプ）を持つポータブル検出器及びポータブル検出器制御装置の斜視図である。
【図９】図９は、一緒に結合された図８のポータブル検出器及びポータブル検出器制御装置の側面図である。
【図１０】図１０は、図３乃至図９の検出器に結合された取外し可能な把手の一実施形態の側断面図である。
【図１１】図１１は、ポータブル検出器と、ポータブル検出器制御装置と、これらの検出器及び検出器制御装置を固定するための装置（例えば、スナップ嵌め式キャディ）とを示す斜視図である。
【図１２】図１２は、図１１の装置内に固定されたポータブル検出器及びポータブル検出器制御装置の側面図である。
【図１３】図１３は、ポータブル検出器と、ポータブル検出器制御装置と、これらの検出器及び検出器制御装置を固定するための装置（例えば、フォリオ(folio) 式キャディ）とを示す斜視図である。
【図１４】図１４は、ポータブル検出器と、ポータブル検出器制御装置と、これらの検出器及び検出器制御装置を固定するための装置（例えば、車輪及び延長部を持つカート）とを示す斜視図である。
【図１５】図１５は、ポータブル検出器と、ポータブル検出器制御装置と、図１４の装置とを示す別の斜視図である。
【図１６】図１６は、ポータブル検出器、ポータブル検出器制御装置、及び装置（例えば、車輪付きカート）の側面図である。
【図１７】図１７は、ポータブル検出器、ポータブル検出器制御装置、及び装置（例えば、折り畳み式カート）の側面図である。
【発明を実施するための形態】
【０００９】
本発明は、従来のアナログ・イメージング・システムをディジタル・イメージング・システムにグレードアップするために使用されるＸ線システム構成部品を運搬するための装置を提供する。それらの構成部品には、ポータブル・ディジタルＸ線検出器及びポータブル検出器制御装置が含まれる。このような運搬装置は、相異なるイメージング・システムの間でのそれらの構成部品の同時運搬を可能にする。詳しく述べると、運搬装置は、該装置に検出器制御装置及び検出器を固定することができる。例えば、運搬装置は、検出器制御装置及び検出器の両方を保持する運搬装置とすることができる。また、運搬装置は、検出器制御装置及び検出器を一緒に結合する結合機構を含むことができる。運搬装置は、線源制御装置、検出器、又は検出器制御装置のような、イメージング・システムの他の構成部品と協働動作するように機能しない。従って、運搬装置は、画像取得及び画像処理に参加しない。また、運搬装置は、検出器及び検出器制御装置のようなイメージング・システム構成部品と通信することを必要とされないが、検出器又は制御装置の蓄電池を充電する能力を提供することができる。運搬装置は、Ｘ線源に結合されず、またＸ線源に含まれることもない。代わりに、運搬装置は、主に、検出器及び検出器制御装置の運搬に用いられる。或る実施形態では、運搬装置は、検出器又は制御装置を充電する充電器、或いは  検出器又は制御装置のための1つ以上の蓄電池を含むことができる。
【００１０】
一般的に図１について説明すると、Ｘ線システムが全体的に参照数字１０で表されている。図示の実施形態では、Ｘ線システム１０は、適応させたとき、ディジタルＸ線システムである。Ｘ線システム１０は、画像データを取得すると共に、表示のために画像データを処理するように設計される。しかしながら、以下の説明全体を通じて、基本的な背景の情報を、医学的診断用途に用いられるディジタルＸ線システムについて提供するが、本発明技術の様々な面が、相異なる設定（例えば、投影Ｘ線、コンピュータ断層撮影イメージング、トモシンセシス・イメージングなど）で且つ相異なる目的（例えば、小包、荷物、車両及び部品検査など）のために使用される（Ｘ線検出器を含む）ディジタル検出器に適用できることに留意されたい。Ｘ線システム１０は、以下に述べるようにディジタル画像データ取得及び処理のために遡及的に改良される通常のアナログ・イメージング・システム（例えば、固定のＸ線イメージング室内に配置された据え置き型システム、又は移動型イメージング・システム）を含むことができる。
【００１１】
イメージング・システム１０は、コリメータ１８に隣接して配置されたＸ線放射線源１６を含む。コリメータ１８は、放射線の流れ４８を、その中に対象物２０（例えば、患者２０）が位置決めされている領域に通過させることができる。放射線５０の一部は対象物２０の中を又は周りを通過して、検出器２２に衝突する。検出器２２は、ポータブル・ディジタルＸ線検出器を含む。以下に更に詳しく述べるように、検出器２２は、その面で受け取ったＸ線光子を相対的に低いエネルギの光子へ変換し、次いで電気信号へ変換する。それらの電気信号は取得され処理されて、対象物２０の内部の様々な特徴を表す画像を再構成する。
【００１２】
線源１６は、検査シーケンスのための電力を供給する電源装置５２に結合される。線源１６及び電源装置５２は、撮像用照射のためのＸ線の放出を指令するように構成されている線源制御装置５４に結合される。検出器２２は、Ｘ線放射線源１６の制御装置５４からの通信が無くてもＸ線画像データを取得するように構成される。言い換えると、検出器２２は、Ｘ線照射に関して線源１６の制御装置５４からのタイミング信号の通信がなくても動作する。従って、検出器２２は、Ｘ線照射の開始時点及び終了時点についての先験的知識が無い。また、検出器２２は、Ｘ線画像データの取得のために検出器２２へ命令を通信するように構成されているポータブル検出器制御装置４０に応答する。更に、ポータブル検出器制御装置４０は、処理及び画像再構成のために検出器２２からＸ線画像データを受け取るように構成される。
【００１３】
検出器２２は、装置４０と無線通信するための無線通信インターフェース５６を含み、また装置４０が検出器２２に係留（テザリング）されているときに装置４０と通信するための有線通信インターフェース５８を含む。検出器２２及び／又は装置４０はまた、有線又は無線接続によりネットワーク４２を介して施設内画像レビュー及び記憶システムと通信するようにすることができる。施設内画像レビュー及び記憶システムは、ＰＡＣＳ６０、ＲＩＳ６２及びＨＩＳ６４を含むことができる。ある実施形態では、検出器２２はまた、有線又は無線接続を介してオペレータ・ワークステーションのようなイメージング・システム１０の構成部品と通信することができる。ここで、無線通信インターフェース５６は、任意の適当な無線通信プロトコル、例えば、超広帯域（ＵＢＷ）通信規格、ブルートゥース通信規格、又は任意の８０２．１１通信規格を利用することができることに留意されたい。更に、検出器２２は、様々な検出器機能の制御を調整する検出器制御装置６６を含む。例えば、検出器制御装置６６は、ダイナミックレンジの初期調節、ディジタル画像データのインターリーブなどのためのような、様々な信号処理及びフィルタ機能を実行することができる。検出器制御装置６６は装置４０からの信号に応答する。検出器制御装置６６はプロセッサ６８に連結される。プロセッサ６８、検出器制御装置６６、及び全ての回路は、電源装置７０から電力を受け取る。電源装置７０は１つ以上の蓄電池を含むことができる。また、プロセッサ６８は検出器インターフェース回路７２に連結される。
【００１４】
一実施形態では、検出器２２はその表面に受け取ったＸ線光子を（例えば、シンチレータにより）光又は光学的光子のような相対的に低いエネルギの光子へ変換する。検出器２２は検出器配列７４（例えば、撮像パネル）を含み、検出器配列７４は、光の光子を電気信号へ変換する光検出器の配列を含む。この代わりに、検出器２２はＸ線光子を直接に電気信号へ変換することができる。これらの電気信号は検出器インターフェース回路７２によってディジタル値へ変換され、検出器インターフェース回路７２はそれらの値をプロセッサ６８へ供給し、それらの値はプロセッサ６８によって画像データへ変換され、画像データは、対象物２０の中の様々な特徴の画像を再構成するために用いることができる。一実施形態では、検出器２２は画像データを少なくとも部分的に処理し又は完全に処理することができる。この代わりに、画像データは、該画像データを処理するために検出器２２からサーバへ送ることができる。
【００１５】
プロセッサ６８は更に、照明回路７６にも連結される。検出器制御装置６６は、装置４０から受け取った信号に応答して、プロセッサ６８へ信号を送り、プロセッサ６８は、検出器２２が信号に応答してＸ線照射を受ける準備が完了したことを表すためにライト７８を点灯するように照明回路７６を作動することができる。実際に、検出器２２は、装置４０からの信号に応答して、ターンオンするか又はアイドル状態から活動状態へ切り替えることができる。この代わりに、検出器２２は、ユーザー（例えば、検出器２２上に配置されたオン／オフ・ボタンを押すこと）によって、ターンオンするか又はアイドル状態から活動状態へ切り替えることができる。
【００１６】
更に、プロセッサはメモリ８０に連結される。メモリ８０は、様々な構成設定パラメータ、較正ファイル、及び検出器識別データを記憶することができる。また、メモリ８０は、ＤＩＣＯＭ準拠データ・ファイルを生成するために画像データと組み合わせるべき患者情報を、装置４０から受け取って記憶することができる。更に、メモリ８０は、イメージング・モード中に収集されたサンプリングしたデータを、Ｘ線画像と共に記憶することができる。前に述べたように、実施形態によっては、装置４０は画像処理を行って、ＤＩＣＯＭ準拠データ・ファイルを生成するためにＤＩＣＯＭヘッダを取り入れることができる。
【００１７】
他の実施形態では、イメージング・システム１０の機能を分散させて、イメージング・システム１０の幾分かの機能（例えば、線源１６の動作を制御する機能）がワークステーションで遂行され、また他の機能（例えば、検出器２２の動作を制御する機能）がＸ線システム１０の別の構成部品、例えば、ポータブル検出器制御装置４０によって遂行されるようにすることができる。ポータブル検出器制御装置４０は、パーソナル・ディジタル・アシスタント（ＰＤＡ）、パームトップ・コンピュータ、ラップトップ・コンピュータ、スマート電話、タブレット・コンピュータ、又は任意の適当な汎用又は専用ポータブル・インターフェース装置を含むことができる。ポータブル検出器制御装置４０は、ユーザー３８によって保持され且つ検出器２２と無線通信するように構成される。ここで、検出器２２及びポータブル検出器制御装置４０は、任意の適当な無線通信プロトコル、例えば、ＩＥＥＥ８０２．１５．４プロトコル、超広帯域（ＵＢＷ）通信規格、ブルートゥース通信規格、又は任意のＩＥＥＥ８０２．１１通信規格を利用できることに留意されたい。この代わりに、ポータブル検出器制御装置は、有線接続を介して通信するために、検出器２２に係留(tether)し又は取外し可能に係留するように構成することができる。
【００１８】
ポータブル検出器制御装置４０はまた、Ｘ線画像データの取得のために検出器２２に命令（例えば、検出器作動モード）を送るように構成される。その場合、検出器２２は、ポータブル検出器制御装置４０からの命令に応答してＸ線照射のための準備をして、検出器２２がＸ線照射を受ける準備ができたことを表す検出器準備完了信号を装置４０へ送るように構成される。装置４０はまた、患者情報又はＸ線技術情報を検出器２２へ伝送するように構成することができる。検出器２２と同様に、装置４０はＸ線源１６の制御装置からの通信が無くても動作することができる。更に、ポータブル検出器制御装置４０は、処理及び画像再構成のために検出器２２からＸ線画像データを受け取るように構成される。実際に、検出器２２及びポータブル検出器制御装置４０の両方は、Ｘ線画像データを少なくとも部分的に処理するように構成される。しかしながら、或る実施形態では、検出器２２及び／又はポータブル検出器制御装置４０は、Ｘ線画像データを完全に処理するように構成される。また、検出器２２及び／又は装置４０は、Ｘ線画像データ、患者情報、及び他の情報に基づいて、ＤＩＣＯＭ準拠データ・ファイルを生成するように構成される。更に、検出器２２及び／又は装置４０は、ネットワーク４２を介して、処理したＸ線画像データ（例えば、部分的に又は完全に処理したＸ線画像データ）を施設内画像レビュー及び記憶システムへ無線送信する（又は有線接続を介して伝送する）ように構成される。実施形態によっては、施設内画像レビュー及び記憶システムは、Ｘ線画像データを処理することができる。一実施形態では、ワークステーションを、医療施設のネットワーク４２上の命令及び／又はコンテンツのサーバとして機能するように構成することができる。
【００１９】
図２は、検出器２２と検出器制御装置４０とを一緒に結合するための装置８２（例えば、結合機構）の一実施形態を示す。結合機構８２は、検出器２２及び検出器制御装置４０を一緒に結合し又は保持して、両者の同時運搬を可能にする。図示のように、検出器２２及び検出器制御装置４０の両方は、それらにそれぞれ結合された１つ以上の取付け機構（例えば、相補的構造）８４，８６を含む。取付け機構８４は、検出器２２の上又は中に特定の姿勢又は特定の配列で配置される。取付け機構８６は、検出器制御装置４０の上又は中に対応する姿勢又は対応する配列で取付け機構８４と相互作用するように配置されて、検出器２２と検出器制御装置４０との結合を可能にする。取付け機構８４，８６の数、位置、又はパターンは、変えることができる。或る実施形態では、取付け機構８４，８６は、検出器２２及び検出器制御装置４０内に配置された磁石を含むことができる。代替態様では、磁石を検出器２２及び検出器制御装置４０の外部表面８８，９０にそれぞれ配置することができる。図示のように、表面９０は、スクリーン９４を含む表面９２の反対側に配置される。或る実施形態では、取付け機構８６は、表面９０の代わりに外部表面９４上に配置することができる。他の実施形態では、取付け機構８４，８６は、検出器２２及び検出器制御装置４０の外部表面８８，９０上に配置されたマジックテープ(登録商標）を含むことができる。例えば、取付け機構８４はマジックテープ(登録商標）のフック部分を含むことができ、他方、取付け機構８６はマジックテープ(登録商標）のループ部分を含むことができ、或いはその逆にすることができる。代替態様では、取付け機構８４，８６は共に、フック部分及びループ部分を含むことができる。取付け機構８４，８６を整合させたとき、結合機構８２は、図３に示されているように、（例えば、表面８８及び９０を互いに向かい合わせにすることにより）検出器２２に対する検出器制御装置４０の結合を可能にする。
【００２０】
図４は、検出器２２と検出器制御装置４０とを一緒に結合するための装置８２（例えば、結合機構）の別の実施形態を開示する。前に述べたように、結合機構８２は検出器２２及び検出器制御装置４０を一緒に結合し又は保持して、両者の同時運搬を可能にする。図示のように、検出器２２及び検出器制御装置４０の両方は、それらにそれぞれ結合された取付け機構（例えば、相補的な構造）８４，８６を含む。取付け機構８４，８６は、検出器２２及び検出器制御装置４０の外部表面８８，９０にそれぞれ配置されている。取付け機構８４はスロット又はポーチ９６を含み、他方、取付け機構８６はタブ９８を含む。スロット又はポーチ９６及びタブ９８は、それぞれの表面８８，９０上の任意の場所に配置することができる。タブ９８は、検出器制御装置４０に取り付けられた第１の部分１００と、検出器２２上のスロット又はポーチ９６に挿入されるように構成された第２の部分１０２とを含む。スロット又はポーチ９６は、タブ９８の第２の部分１０２を受容するための開口１０４を含む。タブ９８をスロット又はポーチ９６に挿入したとき、結合機構８２は、図５に示されているように、（例えば、表面８８，９０が互いに向かい合うようにして）検出器２２に検出器制御装置４０を結合するのを可能にする。或る実施形態では、検出器２２がタブ９８を含むことができ、また検出器制御装置４０がスロット又はポーチ９６を含むことができる。
【００２１】
図６は、検出器２２と検出器制御装置４０とを一緒に結合するための装置８２（例えば、結合機構）の別の実施形態を開示する。前に述べたように、結合機構８２は検出器２２及び検出器制御装置４０を一緒に結合し又は保持して、両者の同時運搬を可能にする。図示のように、検出器２２が、外部表面８８に結合された取付け機構８４を含む。取付け機構８４は、検出器制御装置４０の一部分又は全部をスロット又はポーチ１０６内に保持するためのスロット又はポーチ１０６を含む。スロット又はポーチ１０６は表面８８上の任意の場所に配置することができる。スロット又はポーチ９６は、検出器制御装置４０を受容するための開口１０８を含む。検出器制御装置４０をスロット又はポーチ１０６内に挿入したとき、結合機構８２は、（例えば、図７に示されているように、表面８８，９０が互いに向かい合うようにして、或いは、可能性として、検出器制御装置４０の表面９２が検出器２２の表面８８と向かい合うようにして）検出器２２に検出器制御装置４０を結合するのを可能にする。
【００２２】
図８は、検出器２２と検出器制御装置４０とを一緒に結合するための装置８２（例えば、結合機構）の別の実施形態を開示する。前に述べたように、結合機構８２は検出器２２及び検出器制御装置４０を一緒に結合し又は保持して、両者の同時運搬を可能にする。図示のように、検出器制御装置４０が、外部表面９０に結合された取付け機構８４を含む。取付け機構８４は、検出器２２及び検出器制御装置４０を一緒に結合するためのクラスプ(clasp) １１０を含む。クラスプ１１０は表面９０上の任意の場所に配置することができる。クラスプ１１０は、検出器制御装置４０に取り付けられた第１の部分１１２を含む。クラスプ１１０はまた、検出器２２の任意の縁部１１６に跨がるように延在し且つ検出器２２の表面１１８に圧力を加えて検出器２２を把持するように構成された第２の部分１１４を含む。例えば、或る実施形態では、クラスプ１１０の頂部１２２に図示の方向１２０に力を加えることにより、部分１１４を図示の方向１２４に広げて、クラスプが検出器２２を受容できるようにすることができる。クラスプ１１０の頂部１２２に加えられた力を解放したとき、部分１１４が図示の方向１２０に戻って検出器２２を把持する。結合機構８２は、図９に例示されているように検出器２２に検出器制御装置４０を結合するのを可能にする。検出器制御装置４０は、検出器２２のいずれかの表面８８，１１８に突合せ接触することができる。
【００２３】
図２乃至図９に開示された実施形態は、図１０に例示されているように取外し可能な把手１２６を含むことができる。図１０は、取外し可能な把手１２６を備えた検出器２２の部分断面図を示す。把手１２６により、個人は検出器２２を又は検出器２２及び検出器制御装置４０を持ち運ぶことができる。検出器２２は、把手１２６を受容する溝又は凹部１２８を含む。把手１２６は、検出器２２の凹部１２８に嵌め込まれる突起１３０を含む。凹部１２８は、検出器２２の１つ以上の縁部１１６に沿って配置することができる。従って、把手１２６は、任意の縁部１１６に沿って検出器２２に結合することができる。
【００２４】
図１１は、検出器２２及び検出器制御装置４０を固定し且つ一緒に結合するための装置８２（例えば、結合機構又は運搬装置）の別の実施形態を開示する。装置８２は、それ自身に検出器２２及び検出器制御装置４０を固定して、検出器２２及び検出器制御装置４０の同時運搬を可能にする。図示のように、装置８２（例えば、スナップ嵌め式キャディ）は、装置８２の側面１３４上に配置された第１組のスナップ機能部１３２と、反対向きのの側面１３８上に配置された第２組のスナップ機能部１３６とを含む。図示のように、両組のスナップ機能部１３２及び１３６は、全部で４つのスナップ機能部（例えば、一対の横側スナップ機能部と、上側スナップ機能部と、下側スナップ機能部）を含む。他の実施形態では、スナップ機能部の配置及び数は変えることができる。第１組のスナップ機能部１３２は、それらの間に検出器制御装置４０を受容するように相隔てて設けられる。第２組のスナップ機能部１３６は、それらの間に検出器２２を受容するように相隔てて設けられる。検出器制御装置４０及び検出器２２をそれぞれの組のスナップ機能部１３２及び１３６の中へ押し込んだとき、それぞれの組のスナップ機能部１３２及び１３６は検出器制御装置４０及び検出器２２のそれぞれの対応する縁部の周りにスナップ式に嵌って、図１２に示されているように検出器制御装置４０及び検出器２２を装置８２に固定する。各組のスナップ機能部１３２，１３６は、金属又はプラスチックのような柔軟性のある材料で製作することができる。装置８２はまた、検出器２２及び検出器制御装置４０を同時に運搬する（例えば、持ち運ぶ）ための把手１４０を含む。
【００２５】
図１３は、装置８２内に検出器２２及び検出器制御装置４０を一緒に固定し又は保持するための装置８２（例えば、結合機構又は運搬装置）の別の実施形態を開示する。装置８２は、それ自身の中に検出器２２及び検出器制御装置４０を固定して、検出器２２及び検出器制御装置４０の同時運搬を可能にする。図示のように、装置８２（例えば、フォリオ(folio) 式キャディ）は、その中に検出器２２全体を受容するためのポケット１４２をもつ本体部分１４１を含む。検出器制御装置４０全体を受容するための別のポケット１４４が、装置８２の表面１４６に取り付けられる。図示されているように、検出器２２は、開口１５０を通ってポケット１４２の中へ図示の方向１４８に挿入される。検出器制御装置４０は、開口１５４を通ってポケット１４４の中へ図示の方向１５２に挿入される。ポケット１４２及び１４４は、それぞれ、該ポケット１４２及び１４４の中に検出器２２及び検出器制御装置４０を固定するために開口１５０及び１５４を覆うように折り曲げられるカバー又はフラップ１５６及び１５８を含む。装置８２はまた、検出器２２及び検出器制御装置４０を同時に運搬する（例えば、持ち運ぶ）ための把手１５９ を含む。
【００２６】
図１４及び図１５は、装置８２上に検出器２２及び検出器制御装置４０を一緒に固定し又は保持するための装置８２（例えば、結合機構又は運搬装置）の別の実施形態を開示する。装置８２は、それ自身の上に検出器２２及び検出器制御装置４０を固定して、検出器２２及び検出器制御装置４０の同時運搬を可能にする。図示のように、装置８２は、検出器２２及び検出器制御装置４０の両者を保持するためのカート１６０を含む。カート１６０は、（例えば、検出器制御装置４０を使用するために）頂部１６４に隣接して検出器制御装置４０を保持する保持器又は保持機能部１６２を含む。或る実施形態では、保持器又は保持機能部１６２は、検出器制御装置４０を保持するだけではなく、他の物体（例えば、ペンなど）を保持するための付加的なスペース１６６を含むような充分な大きさにすることができる。カート１６０はまた、検出器２２やカルテ１７０などのための保持器１６８を含む。保持器１６８は、カート１６０の基部又は底部１７２に隣接して配置される。図示のように、一組の車輪１７４及び一組の脚部又は延長部１７６が基部１７２に結合される。一組の車輪１７４はカート１６０の移動を可能にする。一組の延長部１７６は、静止位置にあるときにカート１６０を直立姿勢に保つ。カート１６０は更に、カート１６０を様々な場所へ移動させる（例えば、引っ張る）ための把手１７７を含む。カート１６０は更に、検出器２２及び／又は検出器制御装置４０のための１つ以上の蓄電池１８０を保持し且つ充電するための充電器１７８を含む。ある実施形態では、充電器１７８は、検出器２２又は検出器制御装置４０を保持し且つ充電することができる。充電器１７８は、コード１８２及びプラグ１８４を含む。プラグ１８４は、蓄電池１８０、検出器２２又は検出器制御装置４０を充電するための電力を得るために電気コンセントに差し込むことができる。別の実施形態では、充電器１７８は、それ自身が、充電器１７８と蓄電池１８０との間で電荷を転送するために使用される一層大形の蓄電池を内蔵することができる。
【００２７】
或る実施形態では、カート１６０は、延長部１７６の代わりに、図１６に示されているように、追加の一組の車輪１８６を含むことができる。図１６のカート１６０は、その他の点では、図１５に記載したものと同様である。或る実施形態では、一組の車輪１７４は一組の車輪１８６よりも大きくすることができる。
【００２８】
他の実施形態では、カート１６０は、図１７に示されているように、折り畳み式にすることができる。図示のように、折り畳み式カート１６０は、カート１６０の対向する側板１８８及び１９０上に配置された、検出器制御装置４０及び検出器２２のための保持器１６２及び１６８をそれぞれ含む。側板１８８は、底部近くに配置された脚部１７６を含み、他方、側板１９０は、底部近くに配置された車輪１７４を含む。或る実施形態では、側板１８８は、脚部１７６の代わりに車輪を含むことができる。カート１６０はまた、カート１６０を持上げ及び／又は引っ張るための把手１７７を含む。図示のように、カート１６０は、展開位置１９２と折り畳み位置１９４との間で動かすことができる。カート１６０上の物品は、折り畳み位置１９４で、或る場所から別の場所へ運搬することができる。目的地へ到達したとき、カート１６０は展開位置１９２にして、カート１６０上の物品を利用できるようにすることができる。
【００２９】
開示した様々な実施形態の技術的効果は、検出器２２及び検出器制御装置４０を固定し且つ保持して、それらを一緒に同時に運搬することを可能にする装置８２を提供することを含む。特に、検出器２２及び検出器制御装置４０は、通常のアナログ・イメージング・システムをグレードアップするために使用することができる。装置８２は、検出器２２及び検出器制御装置４０を様々な場所へ運搬するのを可能にし、これにより、これらの物品を使用して、通常のアナログ・イメージング・システムをディジタル・イメージングのために遡及的に改良できるようにする。装置８２は、これらの物品の運搬を簡単化して、ワークフロー及び時間効率を改善する。
【００３０】
本明細書は、最良の実施形態を含めて、本発明を開示するために、また当業者が任意の装置又はシステムを作成し使用し、任意の採用した方法を遂行すること含めて、本発明を実施できるようにするために、様々な例を使用した。本発明の特許可能な範囲は「特許請求の範囲」の記載に定めており、また当業者に考えられる他の例を含み得る。このような他の例は、それらが「特許請求の範囲」の文字通りの記載から実質的に差異のない構造的要素を持つ場合、或いはそれらが「特許請求の範囲」の文字通りの記載から実質的に差異のない等価な構造的要素を含む場合、特許請求の範囲内にあるものとする。
【符号の説明】
【００３１】
１０  Ｘ線システム
１６  Ｘ線放射線源
１８  コリメータ
２０  対象物
２２  ポータブル・ディジタルＸ線検出器
４０  ポータブル検出器制御装置
４２  ネットワーク
４８  放射線の流れ
５０  放射線の一部分
７８  ライト
８２  装置
８４  取付け機構
８６  取付け機構
８８  外部表面
９０  外部表面
９２  表面
９４  スクリーン
９６  スロット又はポーチ
９８  タブ
１００  第１の部分
１０２  第２の部分
１０４  開口
１０６  スロット又はポーチ
１０８  開口
１１０  クラスプ
１１２  第１の部分
１１４  第２の部分
１１６  縁部
１１８  表面
１２０  方向
１２２  頂部
１２４  方向
１２６  取外し可能な把手
１２８  溝又は凹部
１３０  突起
１３２  スナップ機能部
１３４  側面
１３６  スナップ機能部
１３８  側面
１４０  把手
１４１  本体部分
１４２  ポケット
１４４  ポケット
１４６  表面
１４８  方向
１５０  開口
１５２  方向
１５４  開口
１５６  カバー
１５８  カバー
１５９  把手
１６０  カート
１６２  保持器又は保持機能部
１６４  頂部
１６６  付加的なスペース
１６８  保持器
１７０  カルテ
１７２  基部又は底部
１７４  車輪
１７６  脚部又は延長部
１７７  把手
１７８  充電器
１８０  蓄電池
１８２  コード
１８４  プラグ
１８６  車輪
１８８  側板
１９０  側板
１９２  展開位置
１９４  折り畳み位置
【図１】
2014076354.tif 000003
【図２】
2014076354.tif 000004
【図３】
2014076354.tif 000005
【図４】
2014076354.tif 000006
【図５】
2014076354.tif 000007
【図６】
2014076354.tif 000008
【図７】
2014076354.tif 000009
【図８】
2014076354.tif 000010
【図９】
2014076354.tif 000011
【図１０】
2014076354.tif 000012
【図１１】
2014076354.tif 000013
【図１２】
2014076354.tif 000014
【図１３】
2014076354.tif 000015
【図１４】
2014076354.tif 000016
【図１５】
2014076354.tif 000017
【図１６】
2014076354.tif 000018
【図１７】
2014076354.tif 000019